(57)【特許請求の範囲】
【請求項１】
農作物の栽培地域の地域名及び品種名毎に施肥時期を記録した栽培情報ファイルと、
該栽培情報ファイルから地域名と品種名と施肥時期の組を１組ずつ入力する入力制御手段と、
該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、
前記入力制御手段で入力された地域名と品種名の組毎に、前記配合肥料設計手段で設計された配合肥料の設計結果を格納する中間ファイルを作成する中間ファイル作成手段と、
前記中間ファイルに設計結果が格納された配合肥料の内、配合成分が同一で且つ各成分の配合量が同一ないし近似する配合肥料に同じ製品名を付与する製品統合手段と、
該製品統合手段で付与された製品名毎に配合肥料の製品仕様情報を格納した製品ファイルを作成する製品ファイル作成手段と、
前記入力制御手段で入力された地域名と品種名の組毎に前記製品統合手段で付与された製品名を格納した検索用ファイルを作成する検索用ファイル作成手段と、
入出力装置から入力された地域名および品種名に最適な配合肥料の製品名を前記検索用ファイルから検索して前記入出力装置に出力する検索手段とを備えた肥料選択システム。
【請求項２】
前記検索用ファイル作成手段に代えて、前記入力制御手段で入力された地域名と品種名の組毎に前記製品統合手段で付与された製品名および前記配合肥料設計手段で設計された配合量に基づいて導出した当該製品名の配合肥料の標準施用量を格納した検索用ファイルを作成する検索用ファイル作成手段を備え、
前記検索手段に代えて、入出力装置から入力された地域名および品種名に最適な配合肥料の製品名及びその標準施用量を前記検索用ファイルから検索して前記入出力装置に出力する検索手段を備えた請求項１記載の肥料選択システム。
【請求項３】
農作物の栽培地域の地域名及び品種名毎に施肥時期を記録した栽培情報ファイルと、
該栽培情報ファイルから地域名と品種名と施肥時期の組を１組ずつ入力する入力制御手段と、
該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、
前記入力制御手段で入力された地域名と品種名の組毎に、前記配合肥料設計手段で設計された配合肥料の設計結果を格納する中間ファイルを作成する中間ファイル作成手段と、
前記中間ファイルに設計結果が格納された配合肥料の内、配合成分が同一で且つ各成分の配合量が同一ないし近似する配合肥料に同じ製品名を付与する製品統合手段と、
該製品統合手段で付与された製品名毎に配合肥料の製品仕様情報を格納した製品ファイルを作成する製品ファイル作成手段と、
前記入力制御手段で入力された地域名と品種名の組毎に前記製品統合手段で付与された製品名を格納した検索用ファイルを作成する検索用ファイル作成手段と、
入出力装置から入力された地域名および品種名に最適な配合肥料の製品名を前記検索用ファイルのコピーから検索して前記入出力装置に出力する検索手段とを備えた肥料選択システム。
【請求項４】
農作物の栽培地域の地域名及び品種名毎に施肥時期を記録した栽培情報ファイルと、
該栽培情報ファイルから地域名と品種名と施肥時期の組を１組ずつ入力する入力制御手段と、
該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、
前記入力制御手段で入力された地域名と品種名の組毎に、前記配合肥料設計手段で設計された配合肥料の設計結果を格納する中間ファイルを作成する中間ファイル作成手段と、
前記中間ファイルに設計結果が格納された配合肥料の内、配合成分が同一で且つ各成分の配合量が同一ないし近似する配合肥料に同じ製品名を付与する製品統合手段と、
該製品統合手段で付与された製品名毎に配合肥料の製品仕様情報を格納した製品ファイルを作成する製品ファイル作成手段と、
前記入力制御手段で入力された地域名と品種名の組毎に前記製品統合手段で付与された製品名および前記配合肥料設計手段で設計された配合量に基づいて導出した当該製品名の配合肥料の標準施用量を格納した検索用ファイルを作成する検索用ファイル作成手段と、
入出力装置から入力された地域名および品種名に最適な配合肥料の製品名及びその標準施用量を前記検索用ファイルのコピーから検索して前記入出力装置に出力する検索手段とを備えた肥料選択システム。
【請求項５】
コンピュータを、
農作物の栽培地域の地域名及び品種名毎に施肥時期を記録した栽培情報記憶手段、
該栽培情報ファイルから地域名と品種名と施肥時期の組を１組ずつ入力する入力制御手段、
該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段、
前記入力制御手段で入力された地域名と品種名の組毎に、前記配合肥料設計手段で設計された配合肥料の設計結果を格納する設計結果格納手段、
該設計結果格納手段に設計結果が格納された配合肥料の内、配合成分が同一で且つ各成分の配合量が同一ないし近似する配合肥料に同じ製品名を付与する製品統合手段、
該製品統合手段で付与された製品名毎に配合肥料の製品仕様情報を格納した製品ファイルを作成する製品ファイル作成手段、
前記入力制御手段で入力された地域名と品種名の組毎に前記製品統合手段で付与された製品名を格納した検索用ファイルを作成する検索用ファイル作成手段、
入出力装置から入力された地域名および品種名に最適な配合肥料の製品名を前記検索用ファイルから検索して前記入出力装置に出力する検索手段、
として機能させるプログラムを記録した機械読み取り可能な記録媒体。
【請求項６】
コンピュータを、
農作物の栽培地域の地域名及び品種名毎に施肥時期を記録した栽培情報記憶手段、
該栽培情報ファイルから地域名と品種名と施肥時期の組を１組ずつ入力する入力制御手段、
該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段、
前記入力制御手段で入力された地域名と品種名の組毎に、前記配合肥料設計手段で設計された配合肥料の設計結果を格納する設計結果格納手段、
該設計結果格納手段に設計結果が格納された配合肥料の内、配合成分が同一で且つ各成分の配合量が同一ないし近似する配合肥料に同じ製品名を付与する製品統合手段、
該製品統合手段で付与された製品名毎に配合肥料の製品仕様情報を格納した製品ファイルを作成する製品ファイル作成手段、
前記入力制御手段で入力された地域名と品種名の組毎に前記製品統合手段で付与された製品名および前記配合肥料設計手段で設計された配合量に基づいて導出した当該製品名の配合肥料の標準施用量を格納した検索用ファイルを作成する検索用ファイル作成手段、
入出力装置から入力された地域名および品種名に最適な配合肥料の製品名及びその標準施用量を前記検索用ファイルから検索して前記入出力装置に出力する検索手段、
として機能させるプログラムを記録した機械読み取り可能な記録媒体。
【発明の詳細な説明】
【０００１】
【産業上の利用分野】
本発明は肥料選択システムに関し、特に顧客にとって最適な配合肥料製品を即座に決定できるようにした肥料選択システムに関する。
【０００２】
【従来の技術】
肥料の一種に、水溶性肥料の表面を樹脂等で被覆して肥料分の溶出を制御した被覆肥料がある。また、このような被覆肥料と化成肥料などを２種類以上組み合わせ、耕作時の必要肥料養分量の経時パターンに一致ないし近似する肥効特性を持たせた配合肥料が提案ないし実用化されている。この種の配合肥料の利点は、１度の施肥によって適正量の養分を農作物に供給することができるため、顧客にとって農業の省力化、低コスト化が図れることである。しかし、所定の肥効特性を持たせているが故に、配合肥料の選択を誤ると農作物の収量に悪影響を与える可能性がある。
【０００３】
そこで従来は、顧客（含む販売店等）からの注文ごとに、製造販売メーカがその顧客の栽培地域、栽培品種などを考慮し、経験と勘から試行錯誤によって配合割合を決定していた。また本出願人はこれを効率的に行うため、例えば特開平１１−１７１６７９号公報（以下、文献１と称す）に示される配合肥料設定システムを使って最適な肥効特性を持つ配合肥料を設計し、この設計した配合肥料と同じ配合組成を持つ製品が存在するか否かを人手によって調査し、存在すればその製品を、存在しなければ新たに製造して、注文主に提供するという製造、販売態勢をとっていた。
【０００４】
【発明が解決しようとする課題】
しかし、このような製造、販売体制では、顧客からくる注文ごとに、毎回、栽培地域、栽培品種などを考慮して配合肥料を設計し、かつ同じ配合組成を持つ製品の有無を調査しなければならず、実際の販売までに至る過程で多大な労力を必要とし、すべての注文に素早く応対することが困難であった。このため、年１回の肥料の施肥時期までにすべての顧客に配送できない事態を招く恐れもでてきた。
【０００５】
そこで本発明の目的は、顧客にとって最適な配合肥料製品を即座に決定できるようにした肥料選択システムを提供することにある。
【０００６】
【課題を解決するための手段】
第１の発明にかかる肥料選択システムは、上記の目的を達成するために、農作物の栽培地域の地域名及び品種名毎に施肥時期を記録した栽培情報ファイルと、該栽培情報ファイルから地域名と品種名と施肥時期の組を１組ずつ入力する入力制御手段と、該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、前記入力制御手段で入力された地域名と品種名の組毎に、前記配合肥料設計手段で設計された配合肥料の設計結果を格納する中間ファイルを作成する中間ファイル作成手段と、前記中間ファイルに設計結果が格納された配合肥料の内、配合成分が同一で且つ各成分の配合量が同一ないし近似する配合肥料に同じ製品名を付与する製品統合手段と、該製品統合手段で付与された製品名毎に配合肥料の製品仕様情報を格納した製品ファイルを作成する製品ファイル作成手段と、前記入力制御手段で入力された地域名と品種名の組毎に前記製品統合手段で付与された製品名を格納した検索用ファイルを作成する検索用ファイル作成手段と、入出力装置から入力された地域名および品種名に最適な配合肥料の製品名を前記検索用ファイルから検索して前記入出力装置に出力する検索手段とを備えている。
【０００７】
第１の発明にかかる肥料選択システムにあっては、栽培情報ファイルが農作物の栽培地域の地域名及び品種名毎に施肥時期を記録しており、システムの起動時、入出力制御手段が栽培情報ファイルから地域名と品種名と施肥時期の組を１組ずつ入力していき、配合肥料設計手段が、この入力された地域名と品種名と施肥時期の組毎に、当該地域で当該品種の農作物を栽培する際に当該施肥時期に用いる最適な配合肥料の配合成分および各成分の配合量を設計し、中間ファイル作成手段が、入力制御手段で入力された地域名と品種名の組毎に、配合肥料設計手段で設計された配合肥料の設計結果を中間ファイルに格納する。次に、製品統合手段が、中間ファイルに設計結果が格納された配合肥料の内、配合成分が同一で且つ各成分の配合量が同一ないし近似する配合肥料に同じ製品名を付与し、製品ファイル作成手段が、製品統合手段で付与された製品名毎に配合肥料の製品仕様情報を格納した製品ファイルを作成すると共に、検索用ファイル作成手段が、入力制御手段で入力された地域名と品種名の組毎に製品統合手段で付与された製品名を格納した検索用ファイルを作成する。そして入出力装置から地域名および品種名が入力されると、検索手段がその地域名および品種名に最適な配合肥料の製品名を検索用ファイルから検索して入出力装置に出力する。
【０００８】
第２の発明にかかる肥料選択システムは、前記目的を達成するため、及び更に施用量も決定できるようにするために、第１の発明にかかる肥料選択システムの前記検索用ファイル作成手段および前記検索手段に代えて、前記入力制御手段で入力された地域名と品種名の組毎に前記製品統合手段で付与された製品名および前記配合肥料設計手段で設計された配合量に基づいて導出した当該製品名の配合肥料の標準施用量を格納した検索用ファイルを作成する検索用ファイル作成手段、入出力装置から入力された地域名および品種名に最適な配合肥料の製品名及びその施用量を前記検索用ファイルから検索して前記入出力装置に出力する検索手段を備えている。
【０００９】
第３の発明にかかる肥料選択システムは、前記目的を達成するために、農作物の栽培地域の地域名及び品種名毎に施肥時期を記録した栽培情報ファイルと、該栽培情報ファイルから地域名と品種名と施肥時期の組を１組ずつ入力する入力制御手段と、該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、前記入力制御手段で入力された地域名と品種名の組毎に、前記配合肥料設計手段で設計された配合肥料の設計結果を格納する中間ファイルを作成する中間ファイル作成手段と、前記中間ファイルに設計結果が格納された配合肥料の内、配合成分が同一で且つ各成分の配合量が同一ないし近似する配合肥料に同じ製品名を付与する製品統合手段と、該製品統合手段で付与された製品名毎に配合肥料の製品仕様情報を格納した製品ファイルを作成する製品ファイル作成手段と、前記入力制御手段で入力された地域名と品種名の組毎に前記製品統合手段で付与された製品名を格納した検索用ファイルを作成する検索用ファイル作成手段と、入出力装置から入力された地域名および品種名に最適な配合肥料の製品名を前記検索用ファイルのコピーから検索して前記入出力装置に出力する検索手段とを備えている。
【００１０】
第３の発明にかかる肥料選択システムにあっては、検索用ファイルが、農作物の栽培地域の地域名及び品種名毎に当該地域で当該品種の農作物を栽培する際に最適な配合肥料の製品名を保持しており、入出力装置から地域名および品種名が入力されると、検索手段がその地域名および品種名に最適な配合肥料の製品名を検索用ファイルのコピーから検索して入出力装置に出力する。
【００１１】
第４の発明にかかる肥料選択システムは、前記目的を達成するために、農作物の栽培地域の地域名及び品種名毎に施肥時期を記録した栽培情報ファイルと、該栽培情報ファイルから地域名と品種名と施肥時期の組を１組ずつ入力する入力制御手段と、該入力制御手段で入力された地域名と品種名と施肥時期の組毎に、当該地域で当該品種の農作物を栽培する際に当該施肥時期に用いる最適な配合肥料の配合成分および各成分の配合量を設計する配合肥料設計手段と、前記入力制御手段で入力された地域名と品種名の組毎に、前記配合肥料設計手段で設計された配合肥料の設計結果を格納する中間ファイルを作成する中間ファイル作成手段と、前記中間ファイルに設計結果が格納された配合肥料の内、配合成分が同一で且つ各成分の配合量が同一ないし近似する配合肥料に同じ製品名を付与する製品統合手段と、該製品統合手段で付与された製品名毎に配合肥料の製品仕様情報を格納した製品ファイルを作成する製品ファイル作成手段と、前記入力制御手段で入力された地域名と品種名の組毎に前記製品統合手段で付与された製品名および前記配合肥料設計手段で設計された配合量に基づいて導出した当該製品名の配合肥料の標準施用量を格納した検索用ファイルを作成する検索用ファイル作成手段と、入出力装置から入力された地域名および品種名に最適な配合肥料の製品名及びその標準施用量を前記検索用ファイルのコピーから検索して前記入出力装置に出力する検索手段とを備えている。
【００１２】
第４の発明にかかる肥料選択システムにあっては、検索用ファイルが農作物の栽培地域の地域名及び品種名毎に当該地域で当該品種の農作物を栽培する際に最適な配合肥料の製品名及びその標準施用量を保持しており、入出力装置から地域名および品種名が入力されると、検索手段がその地域名および品種名に最適な配合肥料の製品名及びその標準施用量を検索用ファイルのコピーから検索して入出力装置に出力する。
【００１３】
【発明の実施の形態】
次に本発明の実施の形態の例について図面を参照して詳細に説明する。
【００１４】
図１を参照すると、本発明の一実施の形態にかかる肥料選択システム１０は、栽培情報ファイル１１、中間ファイル１２、検索用ファイル１３および製品ファイル１４の各記憶部と、入力制御手段１５、配合肥料設計手段１６、中間ファイル作成手段１７、製品統合手段１８、検索用ファイル作成手段１９、製品ファイル作成手段２０および検索手段２１の各機能部と、表示装置２２および入力装置２３を備える入出力装置２４とを含んでいる。このように構成された肥料選択システム１０は概ね以下のように機能する。
【００１５】
栽培情報ファイル１１には、各地域における各栽培品種毎の標準的な施肥時期および慣行施肥情報が事前に格納されている。システム起動時、入力制御手段１１は栽培情報ファイル１１に格納された情報を１単位ずつ読み出し、配合肥料設計手段１６に入力する。配合肥料設計手段１６は、入力された地域名、栽培品種、施肥時期および慣行施肥情報ならびに手段１６自体が保有する各種の情報に基づき、当該地域で当該品種を栽培する際に当該施肥時期に用いる最適な配合肥料の配合成分および所定作付け面積当たりの各肥料の配合量を設計する。設計された配合肥料は、中間ファイル作成手段１７によって製品名を付与されて中間ファイル１２に一旦格納される。
【００１６】
栽培情報ファイル１１に格納された全ての地域の全ての栽培品種について、配合肥料の設計と中間ファイル１２への登録とが完了すると、製品統合手段１８は、中間ファイル１２に格納された配合肥料のうち、配合成分が同一で且つ各成分の配合量が同一ないし近似する配合肥料に同じ製品名を付与する。この後、統合後の中間ファイル１２に基づき、製品ファイル作成手段２０は、製造すべき配合肥料の仕様情報を作成して製品ファイル１４に格納し、また検索用ファイル作成手段１９は、地域名および品種名から最適な配合肥料の製品名を検索するための検索用ファイル１３を作成する。
【００１７】
配合肥料の生産現場では、製品ファイル１４に格納された仕様に基づき各製品が実際に製造される。他方、検索手段２１は、入出力装置２４から地域名および品種名を指定した配合肥料の製品名の問い合わせがあったとき、その地域名および品種名をキーに検索用ファイル１３を検索して製品名を取得し、それを回答として入出力装置２４に出力する。
【００１８】
次に、本実施形態にかかる肥料選択システム１０のより詳しい構成と動作を説明する。例として、日本国内における水稲栽培用の配合肥料の選択を取り上げる。一般に水稲用のこの種の配合肥料は、基肥として効く化成肥料と、分げつ肥および穂肥として効く被覆肥料とを配合したもので、被覆肥料としては被覆窒素肥料（被覆尿素、被覆化成等）が使われる。つまり、肥効特性を制御する養分量は主に、稲の生育に不可欠な成分である窒素である。このため、特に言及しない限り、以下の説明で出てくる養分量は窒素の養分量を意味するものとする。
【００１９】
（１）栽培情報ファイル１１
栽培情報ファイル１１には、日本国内の各地域における各栽培品種毎の標準的な施肥時期および慣行施肥情報が事前に記憶されている。図２に栽培情報ファイル１１の構成例を示す。この例の栽培情報ファイル１１は、各地域の各栽培品種毎のレコード１１０の集合で構成され、１つのレコード１１０は、レコードＩＤ１１１、地域名１１２、品種名１１３、施肥時期１１４および慣行施肥情報１１５の各項目から成る。地域名１１２には、例えば都道府県名が設定される。勿論、県南部、県北部など各県を気候風土の似通った幾つかの単位に分割した個々の単位を設定しても良く、更に市町村名など、より小さな地域を示す名前を設定しても良い。品種名１１３には、水稲米の品種の名前（例えばコシヒカリ等）が設定される。施肥時期１１４には、当該地域における当該品種の播種期が設定される。慣行施肥情報１１５には、当該地域における当該品種の栽培で慣行的に施肥されている基肥の情報が設定される。基肥の情報は、例えば、窒素（Ｎ）、燐（Ｐ）、カリ（Ｋ）成分の所定作付け面積（例えば１０アール＝１００平方メートル）当たりの施用量で設定されるが、具体的な銘柄の化成肥料を記載し、その施用量を設定しても良い。
【００２０】
（２）入力制御手段１５
入力制御手段１５は、例えば図１の入力装置２３からの指示で起動されると、図３に示す処理を開始する。先ず、栽培情報ファイル１１から１つのレコード１１０を入力し（Ｓ１５０１）、そのレコード１１０中の地域名１１２、品種名１１３、施肥時期１１４および慣行施肥情報１１５を配合肥料設計手段１６に入力し、設計を指示する（Ｓ１５０３）。次に、中間ファイル作成手段１７から、配合肥料設計手段１６が設計した配合肥料の情報を中間ファイル１２に登録し終えた旨の通知が出されるのを待ち（Ｓ１５０４）、その通知を受けるとステップＳ１５０１に戻って、栽培情報ファイル１１中の次のレコード１１０について同様の処理を繰り返す。そして、栽培情報ファイル１１に格納された全てのレコード１１０についての処理を終えると（Ｓ１５０２でＹＥＳ）、製品統合手段１８を起動し（Ｓ１５０５）、図３の処理を終える。
【００２１】
（３）配合肥料設計手段１６
本実施の形態では、配合肥料設計手段１６として文献１に記載された配合肥料設計システムを利用する。配合肥料設計手段１６の全体処理の一例を図４に示す。配合肥料設計手段１６は、入力制御手段１５から地域名１１２、品種名１１３、施肥時期１１４および慣行施肥情報１１５を入力すると（Ｓ１６０１）、先ず、化成肥料の種類とその配合量を決定すると共に被覆肥料による経時的必要養分量を計算する（Ｓ１６０２）。このステップＳ１６０２の詳細を図５に示す。
【００２２】
先ず、当該品種の作物の経時的要求養分量を作物情報ファイル１６１から読み出す（Ｓ１６１１）。作物の経時的要求養分量とは、作物の成長過程の各時期において必要とされる養分量を意味する。作物の経時的要求養分量は、作物毎に、作物が栽培される期間を栽培開始時を起点として所定の時間単位（例えば５日間）に分割し、各時間単位毎の単位作付け面積当たりの要求養分量の配列として、作物情報ファイル１６１に事前に格納されている。ステップＳ１６１１では、入力された品種名１１３をキーに作物情報ファイル１６１を検索することにより、当該品種の作物の単位作付け面積当たりの経時的要求養分量を取得する。
【００２３】
次に、生産地の経時的土壌供給養分量を地力情報ファイル１６２から読み出す（Ｓ１６１２）。生産地の経時的土壌供給養分量とは、年間または作物を栽培する期間の各時期に、生産地の土壌から供給される養分量を意味する。生産地の経時的土壌供給養分量は、地域毎に、年間または作物を栽培する期間を所定の時間単位（例えば５日間）に分割し、各時間単位毎の単位作付け面積当たりの土壌供給養分量の配列として、地力情報ファイル１６２に事前に格納されている。ステップＳ１６１２では、入力された地域名１１２をキーに地力情報ファイル１６２を検索することにより、当該地域の単位作付け面積当たりの経時的土壌供給養分量を取得する。
【００２４】
次に、入力された慣行施肥情報１１５に基づき、化成肥料一覧１６３から化成肥料の種類を選択し且つその配合量を決定する（Ｓ１６１３）。化成肥料は、施肥後に極めて速く土中に溶出して肥効が現れる肥料であって、植物の３大栄養素であるＮＰＫ成分の必要量を他の微量元素の必要量と共に供給するために用いられており、Ｎ、Ｐ、Ｋの配合割合が相違する各種の製品が存在する。化成肥料一覧１６３には、そのような各化成肥料製品の仕様が事前に格納されている。仕様は例えば、「製品名Ｘ−Ｙ−Ｚ」という形式で設定される。ここで、Ｘは製品重量に占める窒素（Ｎ）のパーセント、Ｙは同じく燐（Ｐ）のパーセント、Ｚは同じくカリ（Ｋ）のパーセントである。ステップＳ１６１３では、慣行施肥情報１１５中の基肥の情報で示されるＮ、Ｐ、Ｋの所定作付け面積当たりの施用量を元に、Ｎ、Ｐ、Ｋの配合割合がその基肥情報と一致ないし近似する化成肥料製品を化成肥料一覧１６３から選択し、且つ、窒素成分の重量が基肥情報中の窒素の施用量と一致するような化成肥料量を決定する。例えば、基肥の情報で示されるＮ、Ｐ、Ｋの所定作付け面積当たりの施用量を２.8Ｋｇ、６.3Ｋｇ、５.0Ｋｇとすると、Ｎ、Ｐ、Ｋの比はほぼ４対９対７なので、その比に一致ないし近似する化成肥料製品を化成肥料一覧１６３から選択する。そして、例えば「製品名８−１８−１４」なる化成肥料を選択したとすると、２.8Ｋｇ÷０.08 ＝３５Ｋｇをその化成肥料の使用量（配合量）に決定する。ここで、窒素を基準に使用量を決定するのは、窒素成分が稲の生育に最も重要だからである。
【００２５】
次に、当該決定した化成肥料の単位量当たりの経時的供給養分量を化成肥料情報ファイル１６４から読み出す（ステップＳ１６１４）。化成肥料の単位量当たりの経時的供給養分量は、化成肥料の種類毎に、施肥時を起点として、作物の収穫が終了するまでの期間を所定の時間単位（例えば５日間）に分割し、各時間単位毎に供給養分量の配列として、化成肥料情報ファイル１６４に事前に格納されている。ステップＳ１６１４では、ステップＳ１６１３で決定した化成肥料の製品名をキーに化成肥料情報ファイル１６４を検索することにより、当該化成肥料の単位量当たりの経時的供給養分量を取得する。そして、次のステップＳ１６１５において、基肥情報に示される窒素の施用量と単位量との比に応じて、ステップＳ１６１４で取得した経時的供給養分量を補正し、当該化成肥料を前記決定した使用量だけ使った場合の経時的供給養分量を算出する。
【００２６】
最後に、ステップＳ１６１１で求めた各単位時間の作物の経時的要求養分量から、ステップＳ１６１２で求めた各単位時間の生産地の経時的土壌供給養分量およびステップＳ１６１５で求めた各単位時間の化成肥料の経時的供給養分量を差し引いて、作物の経時的要求養分量を満たすために被覆肥料によって施肥後の各時期に土中に溶出させることが必要となる、被覆肥料による単位作付け面積当たりの経時的必要養分量を計算する（Ｓ１６１６）。計算された経時的必要養分量は、作物を栽培する期間を所定の時間単位（例えば５日間）に分割し、各時間単位毎の必要養分量の配列として、配合肥料設計手段１６内に一時的に保持される。
【００２７】
化成肥料の種類とその配合量、被覆肥料による経時的必要養分量の計算（Ｓ１６０２）が終わると、次に、予め定められた各被覆肥料毎に、地温の経時的変化に伴う被覆肥料の経時的溶出量の計算を行う（Ｓ１６０３）。このステップＳ１６０３の詳細を図６に示す。なお、予め定められた各被覆肥料としては、例えば２０日タイプ、４０日タイプ、６０日タイプ、８０日タイプ、１００日タイプ、１２０日タイプ、１４０日タイプの計７種類の被覆窒素肥料が設定される。Ｘ日タイプの被覆肥料とは、当該肥料を２５°Ｃの水中に放置した場合に、窒素成分の８０％が水中に溶出するのにＸ日かかる肥料を意味する。
【００２８】
先ず、当該地域の地温の経時的変化を気象情報ファイル１６５から読み出す（Ｓ１６２１）。地温の経時的変化とは、年間または作物を栽培する期間の各時期の地温を意味する。地温の経時的変化は、地域毎に、年間または作物を栽培する期間を所定の時間単位（例えば５日間）に分割し、各時間単位毎の地温（各時間単位内での平均地温）の配列として、気象情報ファイル１６５に事前に格納されている。ステップＳ１６２１では、入力された地域名１１２をキーに気象情報ファイル１６５を検索することにより、当該地域の地温の経時的変化を取得し、施肥時期１１４で与えられた播種期以降の地温の経時的変化を抽出する。
【００２９】
次に、予め定められた各被覆肥料の種類ごとに、一定の温度における被覆肥料の単位肥料量当たりの経時的溶出量を被覆肥料情報ファイル１６６から読み出す（Ｓ１６２２）。一定の温度における被覆肥料の単位肥料量当たりの経時的溶出量とは、周囲温度を一定に保った状態で、施肥時を起点として収穫が終了する時までの各時期に、単位肥料量の被覆肥料から溶出する養分量を意味する。被覆肥料の単位肥料量当たりの経時的溶出量は、各被覆肥料の種類ごとに、また、周囲温度ごとに、施肥時を起点として収穫が終了する時までの期間を所定の時間単位（例えば５日間）に分割し、各時間単位ごとの肥料の溶出量の配列として、被覆肥料情報ファイル１６６に事前に格納されている。ステップＳ１６２２では、被覆肥料情報ファイル１６６に格納されている各被覆肥料の各周囲温度における経時的溶出量を読み出す。
【００３０】
次に、予め定められた各被覆肥料の種類ごとに、ステップＳ１６２１で抽出した各時間単位毎の地温に、ステップＳ１６２２で読み出した当該地温と等しい温度における肥料の溶出量を逐次適用して、地温の経時的変化に伴う被覆肥料の単位肥料量当たりの経時的溶出量を計算する（Ｓ１６２３）。つまり、各種類の被覆肥料について、施肥時を起点として収穫が終了するまでの期間を単位時間（例えば５日間）に分割し、当該生産地における地温の経時的変化を考慮した各時間単位毎の被覆肥料の単量当たりの溶出量の配列を計算し、内部に格納しておく。
【００３１】
地温の経時的変化に伴う被覆肥料の単位量当たりの経時的溶出量の計算（Ｓ１６０３）が終わると、次に、最適な被覆肥料の組み合わせ及び各被覆肥料の配合量の決定を行う（Ｓ１６０４）。本処理は、被覆肥料群の中から選択された１種類以上の肥料を配合してなる配合肥料の経時的溶出量が、ステップＳ１６０２で計算された経時的必要養分量と一致ないし近似するように、１種類以上の被覆肥料を選択し、かつ、選択された各被覆肥料の配合量を決定する処理である。このステップＳ１６０４の詳細を図７に示す。
【００３２】
先ず、被覆肥料の組み合わせの候補を決定する（Ｓ１６３１）。具体的には、予め定められた種類の被覆肥料毎に乱数を発生させ、乱数が所定の値以上のときは当該被覆肥料を選択し、それ以外は選択しないこととする。そして、この方法で選択された被覆肥料の数が１以上かつ予め定められた最大数以下であれば、当該選択された被覆肥料を組み合わせ候補とする。一方、選択された被覆肥料の数が１以上かつ予め定められた最大数以下でなければ、再度各被覆肥料について乱数を発生させ、選択される被覆肥料を決定する手順に戻る。
【００３３】
次に、ステップＳ１６３１で決定された組み合わせにおける各被覆肥料の配合量の候補を決定する（Ｓ１６３２）。具体的には、乱数によって各被覆肥料の配合量を決定する。
【００３４】
次に、ステップＳ１６３１で決定された被覆肥料の組み合わせ及びステップＳ１６３２で決定された配合量によって構成される配合肥料の経時的溶出量を、ステップＳ１６０３で計算しておいた当該各被覆肥料の単位量当たりの経時的溶出量と前記配合量とから計算し、この計算した配合肥料の経時的溶出量とステップＳ１６０２で計算しておいた経時的必要養分量との一致度を計算する（Ｓ１６３３）。一致度としては、例えば、作物に肥料が必要とされる全期間を所定の時間単位（例えば５日間）に分割し、各時間単位における経時的必要養分量と経時的溶出量の差の２乗を全期間にわたって加算した値を用いる。この場合、一致度が小さいほど配合肥料の経時的溶出量が作物の経時的必要養分量に近く、適切に配合された配合肥料であることを示す。
【００３５】
以上のような処理を所定の回数だけ繰り返し（Ｓ１６３４）、一致度の小さいものを最適な被覆肥料の組み合わせ及び最適な各被覆肥料の配合量とする（Ｓ１６３５）。
【００３６】
なお、本実施の形態では乱数によって肥料の組み合わせの候補および配合量の候補を決定したが、他の方法でそれらを決定しても良い。それ以外の方法として、さらに効率良く配合を決定する方法として、例えば、文献１に記載されるように、被覆肥料に遺伝子を対応させた染色体を用いた遺伝的アルゴリズムによって肥料の組み合わせ候補を決定しても良く、また選択された各被覆肥料の配合量を経時的必要養分量と配合肥料の経時的溶出量に基づく評価関数の最適化手法により決定しても良い。
【００３７】
以上のようにして最適な被覆肥料の組み合わせ及び最適な各被覆肥料の配合量を決定すると、入力制御手段１５から入力された地域名、品種名、設計結果を中間ファイル作成手段１７に出力する（図４のＳ１６０５）。設計結果には、ステップＳ１６０４で決定した最適な被覆肥料の組み合わせ及び配合量と、ステップＳ１６０２で決定した化成肥料の種類および配合量とが含まれる。なお、最適な被覆肥料の組み合わせ及び配合量は、例えば２０日タイプ、４０日タイプ、６０日タイプ、８０日タイプ、１００日タイプ、１２０日タイプ、１４０日タイプの各被覆肥料毎の配合量（０を含む）の配列で示される。
【００３８】
（４）中間ファイル作成手段１７
中間ファイル作成手段１７は、配合肥料設計手段１６から地域名、品種名、設計結果が出力されると、図８に示す処理を開始する。先ず、地域名、品種名、設計結果を入力し（Ｓ１７０１）、次に製品名を割り当てる（Ｓ１７０２）。製品名はユニークなものであれば、文字列で表現された名前でも、数値で表現された製品コードでも良く、名前と製品コードの双方を含んでいても良い。次に、中間レコードを作成し（Ｓ１７０３）、中間ファイル１２へ登録する（Ｓ１７０４）。そして入力制御手段１５に対し、配合肥料設計手段１６が設計した配合肥料の情報を中間ファイル１２に登録し終えた旨の通知を出す（Ｓ１７０５）。
【００３９】
図９に中間ファイル１２の構成例を示す。この例の中間ファイル１２は、各地域の各栽培品種毎の中間レコード１２０の集合で構成され、１つのレコード１２０は、レコードＩＤ１２１、地域名１２２、品種名１２３、被覆肥料の種類と配合量１２４、化成肥料の種類と配合量１２５および製品名１２６の各項目から成る。また、被覆肥料の種類と配合量１２４は各タイプの被覆肥料毎の配合量の配列で示される。中間ファイル作成手段１７は、配合肥料設計手段１６から入力した地域名、品種名、被覆肥料の種類と配合量、化成肥料の種類と配合量を項目１２２〜１２５に設定し、割り当てた製品名を項目１２６に設定し、レコードＩＤを項目１２１に設定した中間レコード１２０を作成して中間ファイル１２に追加登録する。
【００４０】
（５）製品統合手段１８
製品統合手段１８は入力制御手段１５から起動されると、図１０に示す処理を開始する。先ず、中間ファイル１２に格納された全ての中間レコードを入力し（Ｓ１８０１）、配合成分（被覆肥料の種類と化成肥料の種類）が同じ中間レコードを同じ大グループに分類する（Ｓ１８０２）。次に、この分類によってできた１以上の大グループの集合の中の１つの大グループに注目し（Ｓ１８０３）、以下の処理を実行する。
【００４１】
先ず、当該大グループに属する中間レコードを、配合量（被覆肥料の配合量と化成肥料の配合量）が一致ないし近似するもの同士を同じ小グループに分類する（Ｓ１８０４）。後述するように、小グループ１個につき１つの肥料製品が製造されるため、近似と判定する基準を緩くすれば最終的な製品数は減少するが精度が悪くなり、基準を厳しくすれば精度は向上するが製品数が増大する。このため、両者の事情を勘案して近似と判定する基準が事前に設定される。ここでは、例えば、被覆肥料の配合割合の全体量に対して個々のタイプの配合量の割合の差が３％以内のものを同一の小グループに分類する。次に、この分類によってできた１以上の小グループの集合の中の１つの小グループに注目し（Ｓ１８０５）、当該小グループに属する全ての中間レコードの製品名１２６に同じ製品名を設定する（Ｓ１８０６）。これは何れか１つの中間レコードに設定していた製品名で統一しても良いし、新たにユニークな製品名を割り当てるようにしても良い。同じ処理を当該大グループに属する小グループの全てについて繰り返す（Ｓ１８０７、Ｓ１８０８）。
【００４２】
１つの大グループについての処理を終えると、未処理の大グループの中の次の１つの大グループに注目を移し（Ｓ１８０９）、上述と同じ処理を繰り返す（Ｓ１８０４〜Ｓ１８１０）。そして、全ての大グループに対する処理を終えると、処理済みの中間レコード群で中間ファイル１２を上書きする（Ｓ１８１１）。上書き後の中間ファイル１２の構成は、基本的に図９と同じである。但し、製品名１２６は、配合成分が同一で且つ各肥料の配合量が同一ないし近似する中間レコード１２０どうしは同じ製品名に統合されている。また、製品ファイル作成手段２０における処理を容易にするために、中間レコード群は小グループに分類された状態になっている。そして、製品統合手段１８は、検索用ファイル作成手段１９を起動し（Ｓ１８１２）、図１０の処理を終える。
【００４３】
（６）検索用ファイル作成手段１９
検索用ファイル作成手段１９は起動されると、図１１に示す処理を実行する。先ず、中間ファイル１２から１つの中間レコード１２０を入力し（Ｓ１９０１）、標準施用量を計算する（Ｓ１９０３）。標準施用量は、入力した中間レコード１２０の各被覆肥料の配合量と化成肥料の配合量とを加算して求められる。次に、計算した標準施用量と中間レコード１２０中の地域名１２２、品種名１２３および製品名１２６とを含む検索用レコードを生成し（Ｓ１９０４）、検索用ファイル１３へ格納する（Ｓ１９０５）。以上の処理を中間ファイル１２に格納された全ての中間レコードについて繰り返し、全中間レコードの処理を終えると（Ｓ１９０２でＹＥＳ）、製品ファイル作成手段２０を起動し（Ｓ１９０６）、図１１の処理を終了する。
【００４４】
図１２に検索用ファイル１３の構成例を示す。この例の検索用ファイル１３は、各地域の各栽培品種毎の検索レコード１３０の集合で構成され、１つのレコード１３０は、レコードＩＤ１３１、地域名１３２、品種名１３３、標準施用量１３４および製品名１３５の各項目から成る。検索用ファイル作成手段１９は、中間ファイル１２から入力した中間レコード１２０中の地域名、品種名、製品名を項目１３２、１３３、１３５に設定し、計算した標準施用量を項目１３４に設定し、項目１３１にレコードＩＤを設定して、検索用ファイル１３に追加登録する。
【００４５】
（７）製品ファイル作成手段２０
製品ファイル作成手段２０は起動されると、図１３に示す処理を実行する。先ず、小グループに分類されて中間ファイル１２に格納されている中間レコード群の内の１つの小グループ（同じ製品名を持つ中間レコードの集合）に注目する（Ｓ２００１）。次に、その小グループに属する全ての中間レコード１２０における各被覆肥料の種類毎の配合量の平均値および化成肥料の配合量の平均値を計算する（Ｓ２００２）。配合量０の被覆肥料については計算する必要はない。
【００４６】
次に、各配合量の平均値を所定の製品量へ換算する（Ｓ２００３）。所定の製品量とは製品１袋当たりの量である。例えば製品量を１０Ｋｇとすると、ステップＳ２００３では、製品１０Ｋｇ当たり各肥料をどれだけ配合すれば良いかを求める処理に相当する。具体的には、ステップＳ２００２で計算した各被覆肥料の種類毎の配合量の平均値と化成肥料の配合量の平均値との合計をＸ、製品量をＹとすると、或る肥料（被覆肥料または化成肥料）の換算値は、その肥料について前記計算された平均値をＷとすると、Ｗ×Ｙ／Ｘで求められる。
【００４７】
次に、ステップＳ２００３で求めた各肥料毎の配合量と、当該小グループの中間レコードに統一して割り当てられた製品名とから製品レコードを作成し（Ｓ２００４）、製品ファイル１４へ登録する（Ｓ２００５）。そして、中間ファイル１２に格納されている次の小グループに注目を移し（Ｓ２００６）、上述した処理を繰り返す。全ての小グループについて製品レコードの生成と登録を終えると（Ｓ２００７でＹＥＳ）、図１３の処理を終了する。
【００４８】
図１４に製品ファイル１４の構成例を示す。この例の製品ファイル１４は、各製品名毎の製品レコード１４０の集合で構成され、１つのレコード１４０は、レコードＩＤ１４１、製品名１４２、被覆肥料の種類と配合量１４３、化成肥料の種類と配合量１４４の各項目から成る。項目１４３、１４４における配合量は所定の製品量当たりの配合量である。製品ファイル作成手段２０は、小グループに属する中間レコードに統一して割り当てられている製品名を項目１４２に設定し、その中間レコードに設定された被覆肥料の種類及びこの各種類の被覆肥料毎にステップＳ２００３で求めた配合量を項目１４３に設定し、その中間レコードに設定された化成肥料の種類およびそれについてステップＳ２００３で求めた配合量を項目１４４に設定し、項目１４１にレコードＩＤを設定して、製品ファイル１４に追加登録する。
【００４９】
以上のようにして生成された製品ファイル１４の内容は、図示しない印刷装置で用紙に出力されて生産現場に渡され、生産現場では各製品レコード１４０毎にその製品仕様（被覆肥料の種類と配合量、化成肥料の種類と配合量）に従って実際の肥料製品が製造される。製品ファイル１４をフロッピィディスク媒体等の可搬型記憶媒体にコピーして生産現場に渡したり、伝送回線経由で伝送することも可能である。
【００５０】
（８）検索手段２１
図１５に検索手段２１の処理例を示す。検索手段２１は入力装置２３から起動されると、栽培地域の選択画面を表示装置２２に表示する（Ｓ２１０１）。この選択画面には、日本地図のイメージが表示される。地図ファイル２１１には日本地図のイメージ及び栽培情報ファイル１１に設定された地域名と日本地図イメージ上の領域との対応関係が保持されており、検索手段２１はこの地図ファイル２１１から日本地図イメージを読み出して表示装置２２に表示する。そして、利用者が日本地図のイメージ上で栽培地域を選択するのを待ち、選択されると地図ファイル２１１が保持する日本地図イメージ上の領域と地域名との対応関係を参照して、利用者が選択した栽培地域の地域名を取得し、一時的に保持する（Ｓ２１０２）。
【００５１】
次に検索手段２１は、栽培品種の一覧を提示した選択画面を表示装置２２に表示する（Ｓ２１０３）。栽培品種の一覧は品種一覧２１２として事前に用意されており、それを読み出して表示する。品種一覧２１２は、栽培情報ファイル１１に設定された品種名の一覧である。そして、利用者が栽培品種の一覧から１つの栽培品種を選択すると、その品種名を取得して一時的に保持する（Ｓ２１０４）。
【００５２】
以上のようにして利用者から地域名および品種名が選択入力されると、検索手段２１は、入力された地域名および品種名と一致する地域名１３２および品種名１３３を持つレコード１３０を検索用ファイル１３から検索する（Ｓ２１０５）。そして、検索したレコード１３０中に設定された製品名１３５を最適な配合肥料の製品名、標準施用量１３４を単位作付け面積当たりの標準施用量として、地域名および品種名と共に、回答画面にて表示装置２２に表示する（Ｓ２１０６）。
【００５３】
図１６は本発明の別の実施の形態にかかる肥料選択システムの構成例を示すブロック図である。本実施形態にかかる肥料選択システム１０Ａは、検索用ファイル１３Ａと、これに接続された検索手段２１Ａと、これに接続された表示装置２２Ａおよび入力装置２３Ａを含む入出力装置２４Ａとから構成される。検索用ファイル１３Ａは図１における検索用ファイル１３のコピーであり、検索手段２１Ａは図１における検索手段２１と同じ機能を有する手段である。表示装置２２Ａは例えばＬＣＤであり、入力装置２３Ａは例えばキーボードおよびマウスである。本実施の形態にかかる肥料選択システム１０Ａは、例えば全国各地に存在する肥料販売点や代理店毎に設置され、顧客からの注文や問い合わせ時に、その顧客の栽培地域、栽培品種に最適な配合肥料製品名および標準施用量の決定に利用される。
【００５４】
図１７は本発明を適用したコンピュータの構成例を示す平面図である。コンピュータ１は、中央処理装置、主記憶、ハードディスク装置、フロッピィディスク装置、ＣＤ−ＲＯＭユニットなどを備えるコンピュータ本体２と、表示装置３と、キーボード４と、マウス５とで構成される。６はフロッピィディスク、ＣＤ−ＲＯＭ等の機械読み取り可能な記録媒体であり、肥料選択システム用プログラムが記録されている。記録媒体６に記録された肥料選択システム用プログラムは、コンピュータ本体２によって読み取られ、コンピュータ本体２の動作を制御することにより、コンピュータ本体２上に、図１に示した実施の形態にあっては、入力制御手段１５、配合肥料設計手段１６、中間ファイル作成手段１７、製品統合手段１８、検索用ファイル作成手段１９、製品ファイル作成手段２０および検索手段２１の各機能部を生成すると共に、栽培情報を記憶した栽培情報ファイル１１を生成し、また、初期状態の中間ファイル１２、検索用ファイル１３および製品ファイル１４を生成する。他方、図１６に示した実施の形態にあっては、検索手段２１Ａ及び図１２に示したようなレコード群を格納した検索用ファイル１３Ａを生成する。
【００５５】
以上の各実施の形態では、日本国内における水稲栽培用の配合肥料の選択を例にしたが、他の種類の作物用の配合肥料の選択にも本発明が適用できるのは勿論のことである。また、配合肥料は被覆肥料以外に化成肥料を含むものとしたが、被覆肥料のみ配合した配合肥料にも本発明は適用可能である。更に、被覆肥料としては、前述した被覆窒素肥料に限らず三要素の残りのリン、カリを供給する被覆肥料であっても良く、また窒素、リン、カリの三要素以外にも微量元素等の供給をコントロールする被覆肥料であっても良い。即ち本発明は、肥料取締法で規定される任意の肥料を組み合わせて配合した各種の配合肥料への適用が可能である。更に、検索手段では、栽培地域、栽培品種に最適な配合肥料の製品名だけでなくその施用量も決定できるようにしたが、製品名だけを決定する構成にしても良い。
【００５６】
【発明の効果】
以上説明した本発明によれば以下のような効果が得られる。
【００５７】
顧客にとって最適な配合肥料製品を即座に決定することができる。その理由は、顧客の栽培地域および栽培品種から直ちに最適な配合肥料製品の製品名が決定でき、従来のように、販売店からくる注文ごとに、毎回、栽培地域、栽培品種などを考慮して配合肥料を設計し、同じ配合組成を持つ製品の有無を調査する必要がなくなるからである。
【００５８】
顧客にとって最適な配合肥料製品の標準施用量を即座に決定することができる。その理由は、顧客の栽培地域および栽培品種から直ちに最適な配合肥料製品の製品名とその標準施用量が決定できるからである。
【００５９】
また第１および第２の発明にあっては、顧客からの配合肥料製品の注文に素早く応対することができる。その理由は、農作物の各栽培地域および各栽培品種毎の最適な配合肥料の製品仕様情報を格納した製品ファイルが作成されているため、顧客からの注文を待たずに最適な配合肥料製品の生産を開始できるためである。
【００６０】
更に第１および第２の発明にあっては、過不足の無い種類の配合肥料製品を製造することができる。その理由は、設計された配合肥料の内、配合成分が同一で且つ各成分の配合量が同一ないし近似する配合肥料を１つの製品に統合しているためである。
【図面の簡単な説明】
【図１】本発明の一実施の形態にかかる肥料選択システムのブロック図である。
【図２】栽培情報ファイルの構成例を示す図である。
【図３】入力制御手段の処理例を示すフローチャートである。
【図４】配合肥料設計手段の全体処理の一例を示すフローチャートである。
【図５】図４のステップＳ１６０２の詳細を示すフローチャートである。
【図６】図４のステップＳ１６０３の詳細を示すフローチャートである。
【図７】図４のステップＳ１６０４の詳細を示すフローチャートである。
【図８】中間ファイル作成手段の処理例を示すフローチャートである。
【図９】中間ファイルの構成例を示す図である。
【図１０】製品統合手段の処理例を示すフローチャートである。
【図１１】検索用ファイル作成手段の処理例を示すフローチャートである。
【図１２】検索用ファイルの構成例を示す図である。
【図１３】製品ファイル作成手段の処理例を示すフローチャートである。
【図１４】製品ファイルの構成例を示すフローチャートである。
【図１５】検索手段の処理例を示すフローチャートである。
【図１６】本発明の別の実施の形態にかかる肥料選択システムの構成例を示すブロック図である。
【図１７】本発明を適用したコンピュータの構成例を示す平面図である。
【符号の説明】
１０…肥料選択システム
１１…栽培情報ファイル
１２…中間ファイル
１３…検索用ファイル
１４…製品ファイル
１５…入力制御手段
１６…配合肥料設計手段
１７…中間ファイル作成手段
１８…製品統合手段
１９…検索用ファイル作成手段
２０…製品ファイル作成手段
２１…検索手段
２２…表示装置
２３…入力装置
２４…入出力装置
【図１】
0004280385.tif 000002
【図２】
0004280385.tif 000003
【図３】
0004280385.tif 000004
【図４】
0004280385.tif 000005
【図５】
0004280385.tif 000006
【図６】
0004280385.tif 000007
【図７】
0004280385.tif 000008
【図８】
0004280385.tif 000009
【図９】
0004280385.tif 000010
【図１０】
0004280385.tif 000011
【図１１】
0004280385.tif 000012
【図１２】
0004280385.tif 000013
【図１３】
0004280385.tif 000014
【図１４】
0004280385.tif 000015
【図１５】
0004280385.tif 000016
【図１６】
0004280385.tif 000017
【図１７】
0004280385.tif 000018